(57)【要約】      （修正有）【課題】外力衝撃、挟み込みや引っ張りによる損傷や破壊を回避できる回路板のピン足接続用フローティングコネクタを提供する。【解決手段】フローティングコネクタ１０は、フローティング部材１２と、台座体１４と、電極モジュール１６と、固定部材１８とを備える。電極モジュールが位置ずれして設けられることにより、コネクタは大電流の伝達に適用できるように供され、かつ電極モジュールがフローティング部材と台座体との間に設けられることで、フローティング部材を台座体の収容空間に浮揚させ、また、固定部材によってフローティング部材を台座体の所定の平面方向に沿って移動させるように制限することができる。【選択図】図１
0003229226.tif 000002
【実用新案登録請求の範囲】
【請求項１】
回路板のピン足を接続するために供されるフローティングコネクタであって、
前記フローティングコネクタは、フローティング部材と、台座体と、電極モジュールと、固定部材とを備え、
前記フローティング部材は、本体と、伸長ブロックと、第１収容空間と、第１凹溝と、第３凹溝とを有し、前記伸長ブロックは前記本体の両翼に形成され、前記第１収容空間は前記本体の中央部に形成され、前記第１収容空間の内縁に前記第１凹溝と前記第３凹溝とが形成され、前記第１凹溝と前記第３凹溝は、それぞれ対向側に設けられ、かつ相互に位置ずれしており、
前記台座体に第２収容空間と、第２凹溝と、開口と、第４凹溝と、第６凹溝とを形成し、前記第２凹溝は、それぞれ前記第２収容空間の内縁に形成され、前記第２収容空間に前記フローティング部材が設けられることで、前記第２凹溝は、前記第１凹溝と前記第３凹溝とに対応しており、前記開口は、それぞれ前記台座体の両側に形成され、前記第２収容空間に連通するために用いられ、前記第６凹溝は前記台座体の両翼に形成され、かつ前記第４凹溝は前記第６凹溝の両側に形成され、
前記電極モジュールは、第１電極と、第２電極とを有し、前記第１電極と前記第２電極は、外力を受けて弾性変形を生じる湾曲構造を有し、前記第１電極の一端を前記第１凹溝に差し込んで前記ピン足に接触するために供し、前記第１電極の他端を前記台座体の一側の前記開口から突出させ、前記第１電極の両端の間に前記第１凹溝と前記第２凹溝とが設けられ、及び前記第２電極の一端を前記第３凹溝に差し込んで前記ピン足に接触するために供し、前記第２電極の他端を前記台座体の他側の前記開口から突出させ、前記第２電極の両端の間に前記第３凹溝と他側の前記第２凹溝とが設けられ、
前記第４凹溝と前記第６凹溝とに設けられる前記固定部材によって、前記伸長ブロックが位置制限され、
前記第１電極と前記第２電極は、前記第１凹溝と前記第３凹溝とに位置ずれして設けられ、かつ前記フローティング部材を前記第１電極と前記第２電極とにより前記第２収容空間に浮揚させることを特徴とする、フローティングコネクタ。
【請求項２】
前記第３凹溝は、前記第１凹溝の対向辺の両側に位置ずれしていることを特徴とする、請求項１に記載のフローティングコネクタ。
【請求項３】
前記フローティング部材は、前記本体の両側に形成され、かつ前記回路板の差し込み口に隣接することにより、蓋体と係止アームとを有する挟持部材と結合するための係止ブロックをさらに有し、前記差し込み口を前記蓋体で覆蓋し、前記係止ブロックを前記係止アームに係止することを特徴とする、請求項１に記載のフローティングコネクタ。
【請求項４】
前記フローティング部材を前記第１電極と前記第２電極とで支持することにより、前記伸長ブロックは、前記第６凹溝の表面に接触しないように構成されることを特徴とする、請求項１に記載のフローティングコネクタ。
【請求項５】
前記フローティング部材のフローティング量は、前記本体の外縁幅、前記固定部材の内縁幅、前記伸長ブロックの外縁幅、前記第６凹溝の内縁幅、前記第１収容空間の深さに関連付けされ、前記第１収容空間の深さは、前記回路板の前記ピン足が前記第１収容空間に差し込まれ、かつ前記第１電極と前記第２電極とに接触し始めてから、前記第１収容空間の底部に接触するまでの距離として定義されることを特徴とする、請求項１に記載のフローティングコネクタ。
【考案の詳細な説明】
【技術分野】
【０００１】
本考案は、コネクタの技術分野に関し、特に、フローティングコネクタに関するものである。
【背景技術】
【０００２】
伝統的なコネクタは、回路板の抜き差しを行うために提供され、電子システムにおいて必要不可欠な電子エレメントとなっている。
【考案の概要】
【考案が解決しようとする課題】
【０００３】
しかしながら、コネクタの適用領域において、コネクタは、外力衝撃、挟み込みや引っ張りなどの要因により、コネクタに損傷や破壊をもたらすため、回路板との電気的接続に影響を及ぼしやすくなり、結果として信号伝達不良が発生するという課題があった。
【０００４】
これに鑑み、本考案は、従来技術の欠如を解決するために、フローティングコネクタを提案する。
【０００５】
本考案の第１の目的は、回路板を差し込むためのフローティング部材を提供し、前述のフローティング部材は、電極により台座体に支持されている、フローティングコネクタを提供することにある。
【０００６】
本考案の第２の目的は、上記のフローティングコネクタによって、多数個の電極が位置をずらして設けられることにより、大電流の電気的接続領域に適用できるものを提供することにある。
【０００７】
本考案の第３の目的は、上記のフローティングコネクタによって、フローティング部材に形成される斜面によって回路板をフローティング部材の第１収容空間に差し込むように案内させることができるものを提供することにある。
【０００８】
本考案の第４の目的は、上記のフローティングコネクタによって、フローティング部材の伸長ブロックを所定の平面方向に沿って移動させるように制限することができるものを提供することにある。
【０００９】
本考案の第５の目的は、上記のフローティングコネクタによって、フローティング部材の外縁周面に衝撃緩衝のための凹溝が形成され、電極により生じる変形を受け止めるものを提供することにある。
【００１０】
本考案の第６の目的は、上記のフローティングコネクタによって、挟持部材と結合するための係止ブロックを提供することで、コネクタの取り付けを行うことができ、または、コネクタを保護することができるものを提供することにある。
【課題を解決するための手段】
【００１１】
上記の目的及びその他の目的を達成するために、本考案は、回路板のピン足を接続することができるフローティングコネクタを提供する。フローティングコネクタは、フローティング部材と、台座体と、電極モジュールと、固定部材とを備える。フローティング部材は、本体と、伸長ブロックと、第１収容空間と、第１凹溝と、第３凹溝とを有する。伸長ブロックは、本体の両翼に形成される。第１収容空間は、本体の中央部に形成される。第１収容空間の内縁に第１凹溝と第３凹溝とが形成される。その内、第１凹溝と第３凹溝は、それぞれ対向側に設けられ、かつ相互に位置をずらして設けられている。台座体には、第２収容空間と、第２凹溝と、開口と、第４凹溝と、第６凹溝とを形成する。第２凹溝は、それぞれ第２収容空間の内縁に形成される。第２収容空間にフローティング部材が設けられることで、第２凹溝は、第１凹溝と第３凹溝とに対応している。開口は、それぞれ台座体の両側に形成され、第２収容空間に連通するために用いられる。第６凹溝は、台座体の両翼に形成され、かつ第４凹溝は、第６凹溝の両側に形成される。電極モジュールは、第１電極と、第２電極とを有する。第１電極と第２電極は、外力を受けて弾性変形を生じる湾曲構造を有する。第１電極の一端を第１凹溝に差し込んでピン足に接触するために供し、第１電極の他端を台座体の一側の開口から突出させ、第１電極の両端の間に第１凹溝と第２凹溝とが設けられる。第２電極の一端を第３凹溝に差し込んでピン足に接触するために供し、第２電極の他端を台座体の他側の開口から突出させ、第２電極の両端の間に第３凹溝と他側の第２凹溝とが設けられる。第４凹溝と第６凹溝とに設けられる固定部材によって、伸長ブロックが位置制限される。その内、第１電極と第２電極は、第１凹溝と第３凹溝とに位置をずらして設けられ、かつフローティング部材を第１電極と第２電極とにより第２収容空間に浮揚させる。
【考案の効果】
【００１２】
従来の技術に比べて、本考案のフローティングコネクタは、電極が位置をずらして設けられるように提供することで、コネクタが大電流を受け止めて伝達することができ、また、本考案のフローティングコネクタは、弾性変形可能な電極を有するように提供することで、フローティング部材を台座体の第２収容空間に浮揚させることにより、外力衝撃、挟み込みや引っ張りなどの要因により、コネクタの損傷や破壊が生じることを回避することができる。
【図面の簡単な説明】
【００１３】
【図１】コネクタに適用される本考案の一実施形態のフローティングコネクタの模式図である。
【図２】本考案の図１のフローティング部材を説明する詳細模式図である。
【図３】本考案の図１の台座体を説明する詳細模式図である。
【図４】本考案の図１の電極モジュールを台座体に配置する態様を説明する上面図と下面図である。
【図５】本考案の図１の固定部材とフローティング部材との結合、台座体と電極モジュールとの結合を説明する側面模式図である。
【図６】本考案の回路板をフローティングコネクタに差し込んだ態様を説明する結合模式図である。
【図７】本考案の図１の電極と回路板との接続を説明する模式図である。
【図８】本考案の図１のフローティングコネクタと挟持部材との結合を説明する模式図である。
【考案を実施するための形態】
【００１４】
本考案の目的、特徴及び効果を十分に理解してもらうため、ここで、添付の図面を参照して、下記の具体的な実施形態により、後述のように本考案を詳細に説明する。
【００１５】
本考案において、「１つ」または「１個」は、本文に記載されたユニット、エレメント及びコンポーネントを記述するために使用されるものである。これは単に説明の便宜上のためのものであり、なおかつ本考案の範疇に対して一般的な意義を与えるためのものである。従って、別段の意味が明記されていない限り、このような記述は、１個、少なくとも１個を含み、かつ単数形は、複数形をも含むものと理解するべきである。
【００１６】
本考案において、「備える」、「含む」、「有する」、「含有する」という用語、または他のいかなる類似の用語は、非排他的な包含関係をカバーするように意図される。例を挙げて言えば、複数の要件を含有するエレメント、構造、製品または装置は、本文に列挙されたそれらの要件だけに限定されることは必須でなく、明示的には列挙されていないまたは本来備わっているはずの他の要件が、そのようなエレメント、構造、製品または装置に含まれてもよい。このほか、反対の明確な説明がない限り、「または」という用語は、排他的な「または」ではなく、包括的な「または」を意味することが意図されている。
【００１７】
コネクタに適用される本考案の一実施形態のフローティングコネクタの模式図である図１を参照する。図１において、フローティングコネクタ１０は、図７に示す回路板２のピン足２２を接続することができる。また、本考案の回路板をフローティングコネクタに差し込んだ態様を説明する結合模式図である図６を併せて参照する。
【００１８】
図１に戻って参照すると、フローティングコネクタ１０は、フローティング部材１２と、台座体１４と、電極モジュール１６と、固定部材１８とを備える。
【００１９】
本考案の図１のフローティング部材を説明する詳細模式図である図２を併せて参照する。図２において、フローティング部材１２は、本体１２２と、伸長ブロック１２４と、第１収容空間１２６と、第１凹溝１２８と、第３凹溝１２１０とを有する。ここでは、第１凹溝１２８と第３凹溝１２１０の個数については、それぞれ２個を例として説明し、回路板２のピン足２２に対応して用いられる。他の実施形態において、第１凹溝１２８と第３凹溝１２１０の個数は、対応のピン足２２に応じて適宜変更可能である。
【００２０】
伸長ブロック１２４は、本体１２２の両翼に形成される。ここでは、伸長ブロック１２４は本体１２２と一体成形されるものであってもよい。
【００２１】
第１収容空間１２６は、本体１２２の中央部に形成され、回路板２の挿着を行うために供される。第１収容空間１２６の内縁に第１凹溝１２８と第３凹溝１２１０とが形成される。その内、第１凹溝１２８と第３凹溝１２１０は、それぞれ対向側に設けられ、かつ相互に位置ずれしている。換言すれば、第１収容空間１２６の内縁側に第１凹溝１２８が位置し、第１収容空間１２６の別の対応の内縁側には第３凹溝１２１０が直接に形成されておらず、第３凹溝１２１０は、１単位距離を変位させるため、位置ずれが形成されており、その位置ずれの利点は、電流の伝達時、特に大電流で伝達する場合には、電流が互いに干渉することを許容できる点である。
【００２２】
フローティング部材１２は、第１収容空間１２６に、回路板２を第１収容空間１２６に差し込むように案内させるための斜面１２１２が形成されてもよい。
【００２３】
フローティング部材１２は、それぞれ本体１２２の両側に形成され、後続に言及されるような第１電極１６２及び第２電極１６４を収容するための第５凹溝１２１４をさらに有してもよい。その内、第５凹溝１２１４は、第１凹溝１２８に対応して設けられ、及び第５凹溝１２１４は、第３凹溝１２１０に対応して設けられるに従って、本体１２２の両側辺の第５凹溝１２１４も位置ずれして設けられる。他の実施形態において、第５凹溝１２１４は、位置ずれせずに設けられてもよい。
【００２４】
別の実施形態において、フローティング部材１２は、本体１２２の両側に形成され、かつ回路板２の差し込み口（第１収容空間１２６の回路板２を差し込むための位置を意味）に隣接する係止ブロック１２１６をさらに有してもよい。本考案の図１のフローティングコネクタと挟持部材との結合を説明する模式図である図８を併せて参照する。図８において、係止ブロック１２１６は、蓋体２０２と係止アーム２０４とを有する挟持部材２０と結合されてもよい。差し込み口を蓋体２０２で覆蓋し、及び／または係止ブロック１２１６を係止アーム２０４に係止する。
【００２５】
本考案の図１の台座体を説明する詳細模式図である図３を併せて参照する。図３において、台座体１４に第２収容空間１４４と、第２凹溝１４２と、開口１４６と、第４凹溝１４８と、第６凹溝１４１０とを形成する。
【００２６】
第２凹溝１４２は、それぞれ第２収容空間１４４の内縁に形成され、ここで、第２凹溝１４２の個数について８個を例として説明すると、それぞれ第２収容空間１４４の内縁の両側辺に設けられ、ここでの設計は、フローティング部材１２を左右設置することが可能となり、いずれも、位置ずれしている電極モジュール１６を設置することができるようになる。別の実施形態において、第２凹溝１４２の個数と配置は、フローティング部材１２の特定の方式に基づいて設置されてもよい。
【００２７】
第２収容空間１４４にフローティング部材１２が設けられることで、第２凹溝１４２は、第１凹溝１２８と第３凹溝１２１０とに対応している。
【００２８】
開口１４６は、それぞれ台座体１４の両側に形成され、第２収容空間１４４に連通するために用いられ、すなわち、フローティングコネクタ１０の底部に連通するために用いられる。
【００２９】
第６凹溝１４１０は、台座体１４の両翼に形成され、それが平坦状に形成され、また、第４凹溝１４８は、第６凹溝１４１０の両側に形成され、後続に言及されるような固定部材１８を第６凹溝１４１０に設けることにより、第６凹溝１４１０と固定部材１８とによって囲われた空間は、１個の伸長ブロック１２４を位置制限する空間として形成されてもよい。
【００３０】
本考案の図１の電極モジュールを台座体に配置する態様を説明する上面図と下面図である図４を併せて参照する。図４の上方は、上面図であり、図４の下方は、下面図である。図４において、前述の台座体１４のほかに、電極モジュール１６は、第１電極１６２と、第２電極１６４とを有する。図４において、第１電極１６２と、第２電極１６４とが位置ずれして設けられると理解することができる。
【００３１】
第１電極１６２と第２電極１６４は、外力（例えば、回路板２を第１収容空間１２６に差し込むことで生じる作用力）を受けて弾性変形を生じる湾曲構造を有する。ここでは、第１電極１６２と第２電極１６４は、Ｓ字形構造である。本実施形態において、図１の座標系を例として示しており、フローティング部材１２の移動可能なフローティング量は、Ｘ軸フローティング量と、Ｙ軸フローティング量と、Ｚ軸フローティング量とを含んでもよい。Ｘ軸方向に生じるフローティング量は、本体１２２の外縁幅と固定部材１８の内縁幅とで形成される空間によって決定される。Ｙ軸方向に生じるフローティング量は、伸長ブロック１２４の外縁幅と第６凹溝１４１０の内縁幅とによって決定される。及び、Ｚ軸方向に生じるフローティング量は、第１収容空間１２６の深さによって決定され、前述の深さとは、回路板２のピン足２２が第１収容空間１２６に差し込まれ、かつ第１電極１６２と第２電極１６４とに接触し始めてから、第１収容空間１２６の底部に接触するまでの距離を意味する。
【００３２】
第１電極１６２の一端を第１凹溝１２８に差し込んでピン足２２に接触するために供し、第１電極１６２の他端を台座体１４の一側の開口１４６から突出させ、第１電極１６２の両端の間に第１凹溝１２８と第２凹溝１４２とが設けられる。
【００３３】
第２電極１６４の一端を第３凹溝１２１０に差し込んでピン足２２に接触するために供し、第２電極１６４の他端を台座体１４の他側の開口１４６から突出させ、第２電極１６４の両端の間に第３凹溝１２１０と他側の第２凹溝１４２とが設けられる。
【００３４】
また、第１電極１６２と第２電極１６４は、第１凹溝１２８と第３凹溝１２１０とに位置ずれして設けられること以外に、フローティング部材１２を第１電極１６２と第２電極１６４とで支持することにより、フローティング部材１２を第２収容空間１４４に浮揚させる。ここでは、フローティング部材１２を第１電極１６２と第２電極１６４とで支持することにより、伸長ブロック１２４は、第６凹溝１４１０の表面に接触しないように構成される。
【００３５】
第１電極１６２と第２電極１６４は、位置ずれ方式を用いて回路板２のピン足２２との接続に関しては、本考案の図１の電極と回路板との接続を説明する模式図である図７を参照されたい。
【００３６】
本考案の図１の固定部材とフローティング部材との結合、台座体と電極モジュールとの結合を説明する側面模式図である図５を併せて参照する。図５において、第４凹溝１４８と第６凹溝１４１０とに設けられる固定部材１８によって伸長ブロック１２４が位置制限され、ここで、伸長ブロック１２４を所定の平面方向に沿って移動させるように制限することができる。ここでは、固定部材１８を、Ｔ字形構造を有する第４凹溝１４８と結合するためのＣ字形構造を例として説明する。
【符号の説明】
【００３７】
２…回路板
２２…ピン足
１０…フローティングコネクタ
１２…フローティング部材
１２２…本体
１２４…伸長ブロック
１２６…第１収容空間
１２８…第１凹溝
１２１０…第３凹溝
１２１２…斜面
１２１４…第５凹溝
１２１６…係止ブロック
１４…台座体
１４２…第２凹溝
１４４…第２収容空間
１４６…開口
１４８…第４凹溝
１４１０…第６凹溝
１６…電極モジュール
１６２…第１電極
１６４…第２電極
１８…固定部材
２０…挟持部材
２０２…蓋体
２０４…係止アーム
【図１】
0003229226.tif 000003
【図２】
0003229226.tif 000004
【図３】
0003229226.tif 000005
【図４】
0003229226.tif 000006
【図５】
0003229226.tif 000007
【図６】
0003229226.tif 000008
【図７】
0003229226.tif 000009
【図８】
0003229226.tif 000010